(57)【要約】【課題】医用画像を表示する画面と読影レポートを表示する画面を表示手段に同時に表示して、効率的に医用画像及び読影レポートを参照できるようにする。【解決手段】本発明に係るパーソナルコンピュータによれば、操作部の操作により画像表示画面１３１における表示対象の検査区分が切り替えられると、レポート表示画面１３２の表示対象の検査区分を画像表示画面１３１と同じ検査区分に切り替える。レポート表示画面１３２において表示対象の検査区分が切り替えられると、画像表示画面１３１の表示対象の検査区分をレポート表示画面１３２と同じ検査区分に切り替える。【選択図】図８
2009223501.tif 000002
【特許請求の範囲】
【請求項１】
コンピュータを、
検査情報と対応付けられた医用画像データ及びレポートデータが記録された記録媒体から医用画像データ及びレポートデータを読み出す読み出し手段、
操作手段による操作に応じて前記読み出された医用画像データに基づく医用画像を検査区分単位で切り替え表示可能な画像表示画面と、前記操作手段による操作に応じて前記読み出されたレポートデータに基づく読影レポートを検査区分単位で切り替え表示可能なレポート表示画面と、を同時に表示する表示手段、
前記画像表示画面又は前記レポート表示画面の何れか一方の画面において前記操作手段による操作に応じて表示対象の検査区分が切り替えられた際に、他方の画面において表示対象の検査区分を前記一方の画面における表示対象の検査区分と同じ検査区分に切り替えて表示させる制御手段、
として機能させるためのプログラム。
【請求項２】
前記画像表示画面及び前記レポート表示画面には、それぞれ前記操作手段の操作により表示対象とする検査区分を切り替えるために設けられた検査区分毎のタブが表示されており、
前記制御手段は、前記画像表示画面又は前記レポート表示画面の何れか一方の画面において前記操作手段によりタブが操作されることによって表示対象の検査区分が切り替えられた際に、他方の画面において表示対象の検査区分を前記一方の画面における表示対象の検査区分と同じ検査区分に切り替えて表示させることを特徴とする請求項１に記載のプログラム。
【請求項３】
前記制御手段は、更に、前記レポート表示画面に表示された前記タブの何れかに対し前記操作手段により読影レポートの切り替えのための操作とは異なる所定の操作が行われた際に、前記表示手段の表示領域内に前記レポート表示画面とは独立した別画面であって前記操作手段の操作に応じて移動及び拡大／縮小が可能な画面を生成し前記所定の操作が行われたタブに対応する検査区分の読影レポートを前記別画面に表示させる請求項２に記載のプログラム。
【請求項４】
請求項１〜３の何れか一項に記載のプログラムを格納したコンピュータ読取可能な記録媒体。
【発明の詳細な説明】
【技術分野】
【０００１】
本発明は、医用画像の表示のためのプログラム及びそのプログラムを格納したコンピュータ読取可能な記録媒体に関する。
【背景技術】
【０００２】
医療機関では、患者の診断対象部位を撮影してデジタル化した医用画像を画像保存装置に保存し、この保存された医用画像を画像表示装置に配信して読影に供することが行われている。また、医師が医用画像を読影した際に所見（コメント）を読影レポートとして作成するためのシステムも知られている（例えば、特許文献１参照）。
【特許文献１】特開２００６−２７７２１９号公報
【発明の開示】
【発明が解決しようとする課題】
【０００３】
ところで、医師が医用画像及び読影レポートを参照して診察を行うような場合、同一検査区分のものを比較参照するのが一般的である。しかし、医用画像を表示する画面と、読影レポートを表示する画面の２つの画面を立ち上げて画像表示装置等の表示手段に同時に表示させるような場合には、医用画像と読影レポートとで検査区分が別々となってしまうことがある。このような場合、医師は、両画面の表示対象となる検査区分を一致させる操作をしなければならず、煩雑であり、効率よく医用画像及び読影レポートを参照することができない。また、別検査区分についての読影レポートを表示されている医用画像についての読影レポートと誤認識してしまう可能性もある。
【０００４】
本発明の課題は、医用画像を表示する画面と読影レポートを表示する画面を表示手段に同時に表示して、効率的に医用画像及び読影レポートを参照できるようにすることである。
【課題を解決するための手段】
【０００５】
上記課題を解決するため、請求項１に記載の発明のプログラムは、
コンピュータを、
検査情報と対応付けられた医用画像データ及びレポートデータが記録された記録媒体から医用画像データ及びレポートデータを読み出す読み出し手段、
操作手段による操作に応じて前記読み出された医用画像データに基づく医用画像を検査区分単位で切り替え表示可能な画像表示画面と、前記操作手段による操作に応じて前記読み出されたレポートデータに基づく読影レポートを検査区分単位で切り替え表示可能なレポート表示画面と、を同時に表示する表示手段、
前記画像表示画面又は前記レポート表示画面の何れか一方の画面において前記操作手段による操作に応じて表示対象の検査区分が切り替えられた際に、他方の画面において表示対象の検査区分を前記一方の画面における表示対象の検査区分と同じ検査区分に切り替えて表示させる制御手段、
として機能させる。
【０００６】
請求項２に記載の発明は、請求項１に記載の発明において、
前記画像表示画面及び前記レポート表示画面には、それぞれ前記操作手段の操作により表示対象とする検査区分を切り替えるために設けられた検査区分毎のタブが表示されており、
前記制御手段は、前記画像表示画面又は前記レポート表示画面の何れか一方の画面において前記操作手段によりタブが操作されることによって表示対象の検査区分が切り替えられた際に、他方の画面において表示対象の検査区分を前記一方の画面における表示対象の検査区分と同じ検査区分に切り替えて表示させる。
【０００７】
請求項３に記載の発明は、請求項２に記載の発明において、
前記制御手段は、更に、前記レポート表示画面に表示された前記タブの何れかに対し前記操作手段により読影レポートの切り替えのための操作とは異なる所定の操作が行われた際に、前記表示手段の表示領域内に前記レポート表示画面とは独立した別画面であって前記操作手段の操作に応じて移動及び拡大／縮小が可能な画面を生成し前記所定の操作が行われたタブに対応する検査区分の読影レポートを前記別画面に表示させる。
【０００８】
請求項４に記載の発明のコンピュータ読取可能な記録媒体は、
請求項１〜３の何れか一項に記載のプログラムを格納している。
【発明の効果】
【０００９】
本発明によれば、記録媒体に記録された医用画像及び読影レポートを同時に表示手段に表示して効率よく参照することが可能となる。
【発明を実施するための最良の形態】
【００１０】
以下、本発明に係る一実施形態について説明する。
まず、構成を説明する。
【００１１】
図１に、パーソナルコンピュータ１の機能構成例を示す。パーソナルコンピュータ１は、医療施設に設置された情報処理装置であり、記録メディアＭが装着されると、記録メディアＭに記録されている表示制御プログラム９６（図２参照）を読み出して起動し、記録メディアＭに記録されている医用画像データに基づき医用画像を表示するビューアとして機能するものである。
【００１２】
パーソナルコンピュータ１は、図１に示すように、制御部１１、操作部１２、表示部１３、通信部１４、記憶部１５、メディアドライブ１６等を備えて構成され、各部はバス１７により接続されている。
【００１３】
制御部１１は、ＣＰＵ（Central Processing Unit）、ＲＯＭ（Read Only Memory）、
ＲＡＭ（Random Access Memory）等により構成される。制御部１１のＣＰＵは、操作部１２の操作に応じて、ＲＯＭに記憶されているシステムプログラムや、ビューア機能提供処理プログラムを始めとする各種処理プログラムを読み出してＲＡＭ内に展開し、展開されたプログラムに従ってパーソナルコンピュータ１各部の動作を集中制御し、後述するビューア機能提供処理プログラムを始めとする各種処理を実行する。
【００１４】
操作部１２は、カーソルキー、数字入力キー、及び各種機能キー等を備えたキーボードと、マウス等のポインティングデバイスを備えて構成され、キーボードに対するキー操作やマウス操作により入力された指示信号を制御部１１に出力する。なお、以下の実施形態の説明では、操作部１２としてマウス等のポインティングデバイスが使用されることとする。
【００１５】
表示部１３は、ＬＣＤ（Liquid Crystal Display）やＣＲＴ（Cathode Ray Tube）等のモニタにより構成され、制御部１１から入力される表示信号の指示に従って、各種データや画面等を表示する。
【００１６】
通信部１４は、ＬＡＮアダプタ、ルータ、ＴＡ（Terminal Adapter）等を備え、ＬＡＮ（Local Area Network）等の通信ネットワークに接続された外部装置とデータの送受信を行う。
【００１７】
記憶部１５はハードディスク等の記憶装置で構成され、各種データを記憶する。
【００１８】
メディアドライブ１６は、記録メディアＭに対しデータの読み出し又は書き込みを行う装置である。
【００１９】
記録メディアＭは、ＣＤ−Ｒ（Compact Disk Recordable）やＤＶＤ−Ｒ（Digital Versatile Disk Recordable）、ＭＯ（Magnet Optical）ディスク等のコンピュータ読取可能な可搬型記録媒体である。記録メディアＭには、医用画像データ、医用画像のレポートデータ、及び医用画像データをパーソナルコンピュータ１の表示部１３に表示する際の表示制御プログラム９６（図２参照）等が記録されている。記録メディアＭは、医療施設間での医用画像データ及びレポートデータの移送に用いられる。レポートデータは、医師が医用画像を読影した際に作成した所見（コメント）である読影レポート（以下、レポートという）を表示するためのデータであり、本実施の形態においては、読影レポートは検査区分毎に一つ作成される。本実施の形態においては、一つの検査（一検査）を一つの検査区分とする。一検査は、同一患者について同日に実施される検査項目のまとまりを指し、一検査毎に検査の識別情報である検査ＩＤが付与される。なお、検査区分は、本実施の形態のように一検査を一区分とするものに限られず、例えば、検査日付及びモダリティ種の組み合わせにより区分することとしてもよい。通常、医療施設で一患者についての一又は複数検査区分の医用画像データ及びレポートデータが一の記録メディアＭに記録され、患者自身が紹介先等の他の医療施設に記録メディアＭを持参することによって医用画像データ及びレポートデータの移送を行う。
【００２０】
医用画像データを記録メディアＭに記録する際のデータ構造は、ＩＨＥ（Integrating the Healthcare Enterprise）及びＩＨＥ−ＪのＰＤＩ（Portable Data for Imaging）によって定められ、標準化が図られている。本実施形態において、記録メディアＭには、ＰＤＩにより定められたデータ構造で医用画像データ、レポートデータ及び表示制御プログラム９６が記録されている。
【００２１】
図２に、記録メディアＭにおけるデータ格納例を示す。図２に示すように、記録メディアＭのルートディレクトリ（ＲＯＯＴ）には、ＤＩＣＯＭＤＩＲファイル９０と、ＤＩＣＯＭディレクトリ９１と、ＯＴＨＥＲファイル９２と、ＯＴＨＥＲディレクトリ９３とが格納されている。
【００２２】
ＤＩＣＯＭディレクトリ９１は、ＤＩＣＯＭ規格に則ったファイル形式で医用画像データＤ１〜Ｄｍ（ｍは記録メディアＭに記録された医用画像データ数）を格納するディレクトリであり、ＤＩＣＯＭＤＩＲファイル９０は、ＤＩＣＯＭディレクトリ９１に格納されている医用画像データＤ１〜Ｄｍの索引情報が記録されたファイルである。索引情報は、例えば、ＤＩＣＯＭディレクトリ９１に格納されている医用画像データＤ１〜Ｄｍに関する患者情報、検査情報、シリーズ情報、画像番号、画像ファイルパス（医用画像データＤ１〜Ｄｍの画像ファイル格納場所）情報等が含まれる。患者情報は、患者ＩＤ、患者氏名、年齢、性別等の、医用画像の被写体となった患者に関する情報である。検査情報は、例えば、検査を識別するための検査ＩＤ、検査日付、検査時刻、検査部位、モダリティ等の、検査に関する情報である。シリーズ情報は、一つの検査の中で生成されるモダリティ毎の一連の医用画像の単位（シリーズ）を示すシリーズＩＤやモダリティの種別を示す情報等である。ＤＩＣＯＭＤＩＲファイル９０とＤＩＣＯＭディレクトリ９１とを有することがＰＤＩの必須要件となる。
【００２３】
ＯＴＨＥＲファイル９２は、ＯＴＨＥＲディレクトリ９３の索引情報やアプリケーションプログラム９５の自動起動の初期設定等が記録されたファイルである。
ＯＴＨＥＲディレクトリ９３は、ＶＩＥＷＥＲディレクトリ９４、ＲＥＰＯＲＴディレクトリ９８を格納するディレクトリである。
【００２４】
ＶＩＥＷＥＲディレクトリ９４は、アプリケーションプログラム９５やそのアプリケーションプログラム９５の実行に要する設定ファイル９７等を格納するディレクトリである。本実施形態において、記録メディアＭには、アプリケーションプログラム９５として、表示制御プログラム９６が記録されている。表示制御プログラム９６は、パーソナルコンピュータ１に図４のステップＳ３〜Ｓ１５の処理を実行させ、パーソナルコンピュータ１を医用画像を表示するビューアとして機能させるためのアプリケーションプログラムである。
【００２５】
ＲＥＰＯＲＴディレクトリ９８は、レポートデータＲ１〜Ｒｋ（ｋは記録メディアＭに記録されたレポートデータ数）、レポート索引ファイル９９等を格納するディレクトリである。図３に、レポート索引ファイル９９のデータ格納例を示す。図３に示すように、レポート索引ファイル９９は、検査ＩＤとレポートデータのファイル名（ファイル格納場所）とを対応付けて記録したファイルである。
【００２６】
次に、パーソナルコンピュータ１の動作について説明する。
図４に、パーソナルコンピュータ１の制御部１１により実行されるビューア機能提供処理を示す。
【００２７】
まず、パーソナルコンピュータ１のメディアドライブ１６に記録メディアＭが装着されると（ステップＳ１；ＹＥＳ）、メディアドライブ１６により、記録メディアＭから表示制御プログラム９６が読み出され、表示制御プログラム９６が起動される（ステップＳ２）。これ以降の処理は、制御部１１と、記録メディアＭから読み出された表示制御プログラム９６との協働によるソフトウェア処理によって実行される。
【００２８】
表示制御プログラム９６が起動されると、メディアドライブ１６を介して、記録メディアＭにおけるＤＩＣＯＭＤＩＲファイル９０の認識処理が行われ、ＤＩＣＯＭＤＩＲファイル９０が認識されなかった場合（ステップＳ３；ＮＯ）、表示部１３にエラーメッセージが表示され（ステップＳ４）、本処理は終了する。
【００２９】
記録メディアＭにおいてＤＩＣＯＭＤＩＲファイル９０が認識された場合（ステップＳ３；ＹＥＳ）、メディアドライブ１６によりＤＩＣＯＭＤＩＲファイル９０が読み出され、ＤＩＣＯＭＤＩＲファイル９０に格納されている索引情報、即ち、各医用画像データＤ１〜Ｄｍに関する患者情報、検査情報、シリーズ情報、画像ファイルパス情報等が取得されるとともに、読み出された索引情報に基づいてＤＩＣＯＭディレクトリ９１から予め定められた検査区分（ここでは、検査日付が最新の検査区分）の医用画像データが読み出される（ステップＳ５）。そして、読み出された索引情報に基づいて、検査区分毎のタブが作成され、表示部１３に検査区分毎のタブが表示された画像表示画面１３１が表示される（ステップＳ６）。
【００３０】
図５に、ステップＳ６において表示部１３に表示される画像表示画面１３１の一例を示す。画像表示画面１３１は、記録メディアＭに記録された医用画像を１画面（１ウィンドウ）内に検査区分単位で切り替えて表示する画面である。図５に示すように、画像表示画面１３１には、検査区分毎のタブＴｂ１〜Ｔｂｎ（ｎは検査区分数）と、画像表示欄１３１ａと、タブ表示領域１３１ｂと、患者情報表示欄１３１ｃと、レポート表示ボタン１３１ｄと、閉じるボタン１３１ｅと、が設けられている。
【００３１】
検査区分毎のタブＴｂ１〜Ｔｂｎは、画像表示画面１３１において、操作部１２の選択操作により医用画像の表示対象とする検査区分を切り替えるために検査区分毎に設けられたインデックス領域である。
検査区分毎のタブＴｂ１〜Ｔｂｎには、各検査区分を識別するための識別情報（インデックス情報）、例えば、検査日付が表示されている。タブＴｂ１〜Ｔｂｎは、予め定められた順序、例えば、検査日付順でタブ表示領域１３１ｂに表示されている。
操作部１２によりタブが選択操作（例えば、クリック）されると、選択されたタブに対応する検査区分の医用画像が画像表示画面１３１の画像表示欄１３１ａに切り替え表示される。
【００３２】
画像表示欄１３１ａは、医用画像を表示する領域であり、検査日付が最新の検査についての医用画像が初期表示されている。
患者情報表示欄１３１ｃは、画像表示画面１３１における医用画像の表示対象となっている患者の患者情報を表示する領域である。
レポート表示ボタン１３１ｄは、操作部１２による押下によってレポート表示画面１３２（図６参照）を表示させる指示を入力するためのボタンである。
閉じるボタン１３１ｅは、操作部１２の押下によって画像表示画面１３１を閉じる指示を入力するためのボタンである。
【００３３】
画像表示画面１３１において操作部１２によりレポート表示ボタン１３１ｄが押下されると（ステップＳ７；ＹＥＳ）、メディアドライブ１６によりレポート索引ファイル９９が読み出され、読み出されたレポート索引ファイル９９の情報が検査ＩＤに基づきＤＩＣＯＭＤＩＲファイル９０の索引情報と関連付けられる。即ち、記録メディアＭに記録されているレポートデータＲ１〜Ｒｋのそれぞれと、同一検査区分の医用画像データＤ１〜Ｄｍの検査情報とが関連付けられる（ステップＳ８）。次いで、画像表示画面１３１に表示されている医用画像と同じ検査区分のレポートデータがメディアドライブ１６によりＲＥＰＯＲＴディレクトリ９８から読み出され（ステップＳ９）、表示部１３に検査区分毎のタブが表示されたレポート表示画面１３２が表示され（ステップＳ１０）、処理はステップＳ１１に移行する。
【００３４】
図６に、レポート表示画面１３２の表示例を示す。レポート表示画面１３２は、記録メディアＭに記録されているレポートデータに基づくレポートを表示する画面であり、表示部１３の表示領域Ａ内に、画像表示画面１３１とは独立した（即ち、別ウィンドウの）別画面として表示される。
【００３５】
レポート表示画面１３２には、検査区分毎のタブＴａｂ１〜Ｔａｂｎと、レポート表示欄１３２ａと、タブ表示領域１３２ｂと、チェックボックス１３２ｃと、閉じるボタン１３２ｄと、が設けられている。
【００３６】
検査区分毎のタブＴａｂ１〜Ｔａｂｎは、レポート表示画面１３２において、操作部１２の選択操作により表示対象とする検査区分を切り替えるために検査区分毎に設けられたインデックス領域である。
検査区分毎のタブＴａｂ１〜Ｔａｂｎには、各検査区分を識別するための識別情報（インデックス情報）、例えば、検査日付が表示されている。タブＴａｂ１〜Ｔａｂｎは、予め定められた順序、例えば、検査日付順で表示されている。
本実施の形態においては、タブＴａｂ１〜Ｔａｂｎは、画像表示画面１３１に表示されるタブＴｂ１〜Ｔｂｎと対応して作成される。即ち、タブＴａｂ１〜Ｔａｂｎは、医用画像データＤ１〜Ｄｍの検査区分に対応して作成され、レポートデータが記録されていない検査区分についても作成される。
【００３７】
操作部１２によりタブＴａｂ１〜Ｔａｂｎの何れかが選択操作（例えば、クリック）されると、選択されたタブに対応する検査区分に表示対象が切り替えられ、選択されたタブに対応する検査区分のレポートがレポート表示欄１３２ａに切り替え表示される。
【００３８】
また、操作部１２によりタブＴａｂ１〜Ｔａｂｎの何れかに所定の操作（例えば、本実施の形態においてはタブ表示領域１３２ｂ外へドラッグ操作とする）がなされると、表示部１３の表示領域Ａ内に、フローティング状態の、レポート表示画面１３２とは独立した（即ち、別ウィンドウの）別画面１３３が生成され、ドラッグされたタブに対応する検査区分のレポートが表示される（図９参照）。フローティング状態とは、操作部１２による表示変更指示操作（例えば、画面の移動を指示するための別画面１３３のドラッグ操作、画面サイズの拡大を指示するための拡大ボタン１３３ｂの押下操作、画面サイズの縮小を指示するための縮小ボタン１３３ａの押下操作等）に応じて別画面１３３を表示部１３の表示領域Ａ内で移動させたり、画面サイズを拡大させたり縮小させたりすることが可能な状態をいう。
【００３９】
なお、別画面１３３の表示対象となる検査区分は固定である。別画面１３３は、複数のタブがタブ表示領域１３２ｂ外へドラッグ操作されることによって、検査区分毎に複数表示することも可能である。別画面１３３は、ドラッグ操作されたタブに表示されていた識別情報を表示する識別情報表示欄１３３ｄを有しており、操作者が何れの検査区分の医用画像が表示されているかを認識できるようになっている。
表示された別画面１３３は、例えば、操作部１２により閉じるボタン１３３ｃを押下操作する等により閉じることができる。
【００４０】
チェックボックス１３２ｃは、レポート表示画面１３２における表示対象の検査区分と画像表示画面１３１の表示対象の検査区分を連動させるか否かを設定するための入力欄である。操作部１２によりチェックボックス１３２ｃがＯＮに設定されている場合に、レポート表示画面１３２又は画像表示画面１３１の何れか一方の画面においてタブが選択操作され表示対象の検査区分が変更されると、他方の画面の表示対象が同じ検査区分に自動的に切り替えられる。
【００４１】
閉じるボタン１３２ｄは、操作部１２の押下によってレポート表示画面１３２を閉じる指示を入力するためのボタンである。
【００４２】
図４のステップＳ１１においては、現在アクティブ状態となっている画面が判断され、現在アクティブ状態となっている画面がレポート表示画面１３２であると判断されると（ステップＳ１１；レポート表示画面）、レポート表示制御処理が実行される（ステップＳ１２）。アクティブ状態の画面とは、操作部１２による入力や操作の対象となっている画面であり、例えば、操作部１２により何れかの画面領域内がクリックされると、そのクリックされた画面がアクティブ状態となり、前面に表示される。
【００４３】
図７に、ステップＳ１２において制御部１１により実行されるレポート表示制御処理を示す。
【００４４】
レポート表示制御処理においては、操作部１２によりタブＴａｂ１〜Ｔａｂｎの何れかが選択操作されたか否かが判断される。タブＴａｂ１〜Ｔａｂｎが選択操作されていないと判断されると（ステップＳ１０１；ＮＯ）、処理はステップＳ１１０に移行する。
【００４５】
タブＴａｂ１〜Ｔａｂｎの何れかが選択操作されたと判断されると（ステップＳ１０１；ＹＥＳ）、選択されたタブに対応する検査区分にレポート表示画面１３２の表示対象が切り替えられる（ステップＳ１０２）。ステップＳ１０２においては、まず、レポート表示画面１３２において、上記選択操作されたタブ及び当該タブに対応するレポート表示欄１３２ａが前面に表示される。
【００４６】
次いで、レポート索引ファイル９９に基づいて、選択されたタブに対応する検査区分のレポートデータが記録メディアＭに存在するか否かが判断される（ステップＳ１０３）。選択されたタブに対応する検査区分のレポートデータが記録メディアＭに存在すると判断されると（ステップＳ１０３；ＹＥＳ）、メディアドライブ１６により記録メディアＭから選択されたタブに対応する検査区分のレポートデータが読み出され、読み出されたレポートデータに基づいて、選択されたタブに対応する検査区分のレポートがレポート表示欄１３２ａに表示され（ステップＳ１０４）、処理はステップＳ１０６に移行する。
【００４７】
一方、選択されたタブに対応する検査区分のレポートデータが記録メディアＭに存在しないと判断されると（ステップＳ１０３；ＮＯ）、レポートが存在しない旨がレポート表示欄１３２ａに表示され（ステップＳ１０５）、処理はステップＳ１０６に移行する。
【００４８】
ステップＳ１０６においては、画像表示画面１３１が開かれているか否かが判断され、画像表示画面１３１が開かれていないと判断されると（ステップＳ１０６；ＮＯ）、処理はステップＳ１１０に移行する。画像表示画面１３１が開かれていると判断されると（ステップＳ１０６；ＹＥＳ）、処理はステップＳ１０７に移行する。
【００４９】
ステップＳ１０７においては、レポート表示画面１３２における表示対象の検査区分と画像表示画面１３１の表示対象の検査区分を連動させる設定がされているか否かが判断され、連動させる設定がされていないと判断されると（ステップＳ１０７；ＮＯ）、処理はステップＳ１１０に移行する。
【００５０】
レポート表示画面１３２における表示対象の検査区分と画像表示画面１３１の表示対象の検査区分を連動させる設定がされていると判断されると（ステップＳ１０７；ＹＥＳ）、画像表示画面１３１において表示対象となる検査区分がレポート表示画面１３２における表示対象の検査区分と同じ検査区分に切り替えられる（ステップＳ１０８）。ステップＳ１０８においては、まず、画像表示画面１３１において、上記選択操作されたタブと識別情報が一致するタブ及び当該タブに対応する画像表示欄１３１ａが前面に表示される。そして、メディアドライブ１６により記録メディアＭから表示対象の検査区分の医用画像データが読み出され、読み出された医用画像データに基づいて医用画像が画像表示欄１３１ａに表示され（ステップＳ１０９）、処理はステップＳ１１０に移行する。
【００５１】
図８に示すように、レポート表示画面１３２のチェックボックス１３２ｃにＯＮが設定されている場合、操作部１２によりタブＴａｂ１〜Ｔａｂｎの何れかが選択操作されると、選択操作されたタブに対応する検査区分のレポートにレポート表示欄１３２ａの表示が切り替えられるとともに、選択されたタブに対応する検査区分の医用画像に画像表示欄１３１ａの表示が切り替えられる。このように、レポート表示画面１３２の表示対象の検査区分が切り替えられた場合に、画像表示画面１３１の表示対象をレポート表示画面１３２における表示対象の検査区分と同じ検査区分に自動的に切り替えるので、表示されているレポートと医用画像の検査区分を一致させることができ、医師が別検査区分についてのレポートを表示されている医用画像の検査区分についてのレポートと誤認識して診断してしまうことを防止することができる。
【００５２】
ステップＳ１１０においては、操作部１２によりタブＴａｂ１〜Ｔａｂｎの何れかがタブ表示領域１３２ｂ外にドラッグ操作されたか否かが判断され、ドラッグ操作されていないと判断されると（ステップＳ１１０；ＮＯ）、処理はステップＳ１１２に移行する。操作部１２によりタブＴａｂ１〜Ｔａｂｎの何れかがタブ表示領域１３２ｂ外にドラッグ操作されたと判断されると（ステップＳ１１０；ＹＥＳ）、表示部１３の表示領域Ａ内に、フローティング状態の、レポート表示画面１３２とは独立した別画面１３３が生成され、ドラッグされたタブに対応する検査区分のレポートデータがメディアドライブ１６により読み出され、読み出されたレポートデータに基づくレポートが別画面１３３に表示され（ステップＳ１１１）、処理はステップＳ１１２に移行する。
【００５３】
操作部１２によりタブＴａｂ１〜Ｔａｂｎの何れかがドラッグ操作されると、図９に示すように、フローティング状態の別画面１３３が生成され、ドラッグ操作されたタブに対応する検査区分のレポートが別画面１３３に表示される。このように、所望の検査区分のタブをドラッグ操作することで、その検査区分に対応するレポートをフローティング状態の別画面１３３に表示させることができるので、他の検査区分のレポートとの比較が容易となり、レポート参照時の利便性を向上させることができる。
【００５４】
ステップＳ１１２においては、操作部１２により別画面１３３の閉じるボタン１３３ｃが押下されたか否かが判断され、閉じるボタン１３３ｃが押下されていないと判断されると（ステップＳ１１２；ＮＯ）、処理はステップＳ１１４に移行する。閉じるボタン１３３ｃが押下されたと判断されると（ステップＳ１１２；ＹＥＳ）、閉じるボタン１３３ｃが押下された別画面１３３が閉じられ（ステップＳ１１３）、処理はステップＳ１１４に移行する。
【００５５】
ステップＳ１１４においては、操作部１２によりレポート表示画面１３２の閉じるボタン１３２ｄが押下されたか否かが判断され、閉じるボタン１３２ｄが押下されていないと判断されると（ステップＳ１１４；ＮＯ）、処理は図４のステップＳ１５に移行する。操作部１２により閉じるボタンが押下されたと判断されると（ステップＳ１１４；ＹＥＳ）、レポート表示画面１３２が閉じられ（ステップＳ１１５）、処理は図４のステップＳ１５に移行する。
【００５６】
一方、図４のステップＳ１１において、現在アクティブ状態となっている画面が画像表示画面１３１であると判断されると（ステップＳ１１；画像表示画面）、操作部１２によりレポート表示ボタン１３１ｄが押下されたか否かが判断され、レポート表示ボタン１３１ｄが押下されたと判断されると（ステップＳ１３；ＹＥＳ）、処理はステップＳ８に戻る。レポート表示ボタン１３１ｄが押下されていないと判断されると（ステップＳ１３；ＮＯ）、画像表示制御処理が実行される（ステップＳ１４）。
【００５７】
図１０に、ステップＳ１４において制御部１１により実行される画像表示制御処理を示す。
【００５８】
画像表示制御処理においては、操作部１２によりタブＴｂ１〜Ｔｂｎの何れかが選択操作されたか否かが判断され、タブＴｂ１〜Ｔｂｎが選択操作されていないと判断されると（ステップＳ２０１；ＮＯ）、処理はステップＳ２１０に移行する。
【００５９】
一方、タブＴｂ１〜Ｔｂｎの何れかが選択操作されたと判断されると（ステップＳ２０１；ＹＥＳ）、選択されたタブに対応する検査区分に画像表示画面１３１の表示対象が切り替えられる（ステップＳ２０２）。ステップＳ２０２においては、まず、画像表示画面１３１において、上記選択操作されたタブ及び当該タブに対応する画像表示欄１３１ａが前面に表示される。そして、メディアドライブ１６により、表示対象の検査区分の医用画像データが記録メディアＭから読み出され、画像表示欄１３１ａに切り替え表示される（ステップＳ２０３）。
【００６０】
次いで、レポート表示画面１３２が開かれているか否かが判断され、レポート表示画面１３２が開かれていないと判断されると（ステップＳ２０４；ＮＯ）、処理はステップＳ２１０に移行する。
【００６１】
レポート表示画面１３２が開かれていると判断されると（ステップＳ２０４；ＹＥＳ）、レポート表示画面１３２における表示対象の検査区分と画像表示画面１３１の表示対象の検査区分を連動させる設定がされているか否かが判断される（ステップＳ２０４）。レポート表示画面１３２における表示対象の検査区分と画像表示画面１３１の表示対象の検査区分を連動させる設定がされていないと判断されると（ステップＳ２０５；ＮＯ）、処理はステップＳ２１０に移行する。  
【００６２】
レポート表示画面１３２における表示対象の検査区分と画像表示画面１３１の表示対象の検査区分を連動させる設定がされていると判断されると（ステップＳ２０５；ＹＥＳ）、レポート表示画面１３２における表示対象の検査区分が画像表示画面１３１における表示対象の検査区分と同じ検査区分に切り替えられる（ステップＳ２０６）。ステップＳ２０６においては、まず、レポート表示画面１３２において、上記選択操作されたタブと識別情報が一致するタブ及び当該タブに対応するレポート表示欄１３２ａが前面に表示される。
【００６３】
次いで、レポート索引ファイル９９に基づいて、当該表示対象の検査区分のレポートデータが記録メディアＭに存在するか否かが判断され（ステップＳ２０７）、表示対象の検査区分のレポートデータが記録メディアＭに存在すると判断されると（ステップＳ２０７；ＹＥＳ）、メディアドライブ１６により記録メディアＭから表示対象の検査区分のレポートデータが読み出されてレポート表示欄１３２ａに表示され（ステップＳ２０８）、処理はステップＳ２１０に移行する。
【００６４】
一方、表示対象の検査区分のレポートデータが記録メディアＭに存在しないと判断されると（ステップＳ２０７；ＮＯ）、レポートが存在しない旨がレポート表示欄１３２ａに表示され（ステップＳ２０９）、処理はステップＳ２１０に移行する。
【００６５】
レポート表示画面１３２のチェックボックス１３２ｃにＯＮが設定されている場合、即ち、レポート表示画面１３２における表示対象の検査区分と画像表示画面１３１の表示対象の検査区分を連動させる設定がされている場合、画像表示画面１３１において、操作部１２によりタブＴｂ１〜Ｔｂｎの何れかが選択操作されると、選択操作されたタブに対応する検査区分の医用画像に画像表示欄１３１ａの表示が切り替えられるとともに、レポート表示画面１３２において、選択されたタブに対応する検査区分のレポートに画像表示欄１３１ａの表示が切り替えられる。このように、画像表示画面１３１の表示対象の検査区分が切り替えられた場合に、レポート表示画面１３２の表示対象を画像表示画面１３１における表示対象の検査区分と同じ検査区分に自動的に切り替えるので、医師がいちいち表示されているレポートと医用画像の検査区分を一致させる操作をする必要がなく、医用画像及びレポートの参照作業を効率的に行うことが可能となる。また、医師が別検査区分についてのレポートを表示されている医用画像の検査区分についてのレポートと誤認識することを防止することができるので、効率的に医用画像及びレポートの適正な参照作業を行うことが可能となる。
【００６６】
また、画像表示画面１３１において選択操作されたタブに対応する検査区分のレポートデータが記録メディアＭに存在しない場合は、図１１に示すように、レポートデータが存在しない旨がレポート表示欄１３２ａに表示されるので、別検査区分についてのレポートが表示されたままになっていることを防止することができ、医師が別検査区分についてのレポートを表示されている医用画像の検査区分についてのレポートと誤認識することを防止することができる。
【００６７】
ステップＳ２１０においては、操作部１２により閉じるボタン１３１ｅが押下されたか否かが判断され、閉じるボタン１３１ｅが押下されていないと判断されると（ステップＳ１１０；ＮＯ）、処理は図４のステップＳ１５に移行する。操作部１２により閉じるボタン１３１ｅが押下されたと判断されると（ステップＳ２１０；ＹＥＳ）、画像表示画面１３１が閉じられ（ステップＳ２１１）、処理は図４のステップＳ１５に移行する。
【００６８】
図４のステップＳ１５においては、表示部１３に画面が開いているか否かが判断され、画面が開いていると判断されると、（ステップＳ１５；ＹＥＳ）、処理はステップＳ１１に戻る。表示部１３に画面が開いていないと判断されると（ステップＳ１５；ＮＯ）、本処理は終了する。
【００６９】
以上説明したように、パーソナルコンピュータ１は、記録メディアＭに記録された表示制御プログラム９６に従い、記録メディアＭに記録されている医用画像データに基づいて医用画像を検査区分単位で切り替え表示可能な画像表示画面１３１を表示する。操作部１２によりレポート表示画面１３２の表示が指示されると、記録メディアＭに記録されているレポートデータに基づいて医用画像の読影レポートを検査区分単位で切り替え表示可能なレポート表示画面１３２を表示する。レポート表示画面１３２のチェックボックス１３２ｃにＯＮが設定され、操作部１２の操作により画像表示画面１３１における表示対象の検査区分が切り替えられると、レポート表示画面１３２の表示対象の検査区分を画像表示画面１３１と同じ検査区分に切り替える。レポート表示画面１３２において表示対象の検査区分が切り替えられると、画像表示画面１３１の表示対象の検査区分をレポート表示画面１３２と同じ検査区分に切り替える。
【００７０】
従って、レポート表示画面１３２と画像表示画面１３１における表示対象の検査区分を自動的に一致させることができるので、医師がいちいち医用画像とレポートの表示対象の検査区分を一致させる操作をすることなく効率的に医用画像及びレポートの参照作業を行うことが可能となる。また、医師が別検査区分についてのレポートを表示されている医用画像の検査区分についてのレポートと誤認識することを防止でき、効率的に医用画像及びレポートの適正な参照作業を行うことが可能となる。
【００７１】
また、パーソナルコンピュータ１は、レポート表示画面１３２において操作部１２によりタブＴａｂ１〜Ｔａｂｎの何れかがドラッグ操作されると、フローティング状態の別画面１３３を生成し、ドラッグ操作されたタブに対応する検査区分のレポートを別画面１３３に表示する。従って、必要な場合には、異なる複数の検査区分におけるレポートを同時に表示部１３に表示することができるので、異なる検査区分について作成されたレポート同士の比較が容易となり、レポート参照時の効率性、利便性を向上させることが可能となる。
【００７２】
なお、上記実施形態における記述内容は、本発明の好適な一例であり、これに限定されるものではない。
例えば、上記実施形態においては、画像表示画面１３１及びレポート表示画面１３２において、操作部１２の操作により表示対象とする検査区分を切り替えるために検査区分毎に設けられたインデックス領域をタブとしたが、これに限定されず、例えば、検査区分の識別情報が表示された操作ボタンとしてもよい。
【００７３】
その他、パーソナルコンピュータ１の細部構成及び細部動作、記録メディアＭに記録されたデータの細部構成等に関しても、発明の趣旨を逸脱することのない範囲で適宜変更可能である。
【図面の簡単な説明】
【００７４】
【図１】本発明の実施の形態におけるパーソナルコンピュータの機能構成例を示す図である。
【図２】本発明の実施の形態における記録メディアのデータ格納例を示す図である。
【図３】図２のレポート索引ファイルのデータ格納例を示す図である。
【図４】図１の制御部により実行されるビューア機能提供処理を示すフローチャートである。
【図５】図１の表示部に表示される画像表示画面を示す図である。
【図６】図１の表示部に表示されるレポート表示画面を示す図である。
【図７】図４のステップＳ１２において制御部により実行されるレポート表示制御処理を示すフローチャートである。
【図８】レポート表示画面において表示対象の検査区分を切り替えた場合の画像表示画面の表示の一例を示す図である。
【図９】レポート表示画面においてタブをドラッグした際に表示される別画面の一例を示す図である。
【図１０】図４のステップＳ１４において制御部により実行される画像表示制御処理を示すフローチャートである。
【図１１】画像表示画面において表示対象の検査区分を切り替えた場合のレポート表示画面の表示の一例を示す図である。
【符号の説明】
【００７５】
１  パーソナルコンピュータ
１１  制御部
１２  操作部
１３  表示部
１３１  画像表示画面
１３１ａ  画像表示欄
１３１ｂ  タブ表示領域
１３１ｃ  患者情報表示欄
１３１ｄ  レポート表示ボタン
１３１ｅ  閉じるボタン
１３２  レポート表示画面
１３２ａ  レポート表示欄
１３２ｂ  タブ表示領域
１３２ｃ  チェックボックス
１３２ｄ  閉じるボタン
１３３  別画面
１３３ａ  縮小ボタン
１３３ｂ  拡大ボタン
１３３ｃ  閉じるボタン
１４  通信部
１５  記憶部
１６  メディアドライブ
１７  バス
Ｍ  記録メディア
【図１】
2009223501.tif 000003
【図２】
2009223501.tif 000004
【図３】
2009223501.tif 000005
【図４】
2009223501.tif 000006
【図５】
2009223501.tif 000007
【図６】
2009223501.tif 000008
【図７】
2009223501.tif 000009
【図８】
2009223501.tif 000010
【図９】
2009223501.tif 000011
【図１０】
2009223501.tif 000012
【図１１】
2009223501.tif 000013